(57)【要約】【課題】  連続使用の可能な放電ランプ点灯装置を提供する。【解決手段】  制御回路１に対して、増幅回路２、電圧電流変換回路３、電圧電流変換トランス４、異常検出回路５、ランプ６からなるランプブロック７，８を複数並列に設けた放電ランプ点灯装置において、各ランプブロック７、８に、上記異常検出回路５からの異常検出信号に基づいて少なくとも電源ラインをオフするスイッチ９を設けた。【選択図】    図１
2005310587.tif 000002
【特許請求の範囲】
【請求項１】
放電ランプを点灯し安定した状態を維持するための制御回路に対してランプブロックを複数並列に接続し、
そのランプブロックは、上記制御回路からのスイッチグ信号を増幅する増幅回路と、その増幅回路で増幅された信号を元にスイッチング動作して電圧電流変換トランスに電圧，電流を供給する電圧電流変換回路と、その電圧電流変換回路から供給された電圧，電流を所定の値に変換する電圧電流変換トランスと、放電ランプの異常状態を検出して異常信号を上記制御回路に入力する異常検出回路と、上記電圧電流変換トランスから供給された電圧，電流により点灯する放電ランプを備えた放電ランプ点灯装置において、
上記各ランプブロックに、上記異常検出回路からの異常検出信号に基づいて少なくとも電源ラインをオフするスイッチを設けたことを特徴とする放電ランプ点灯装置。
【請求項２】
請求項１記載の放電ランプ点灯装置において、上記スイッチが上記増幅回路の電源入力側に直列に接続されていることを特徴とする放電ランプ点灯装置。
【請求項３】
請求項１記載の放電ランプ点灯装置において、上記放電ランプが表示装置用バックライトであることを特徴とする放電ランプ点灯装置。
【発明の詳細な説明】
【技術分野】
【０００１】
本発明は、例えば液晶表示装置用バックライトなどに好適な放電ランプ点灯装置に関し、特に複数の放電ランプを点灯する方式の放電ランプ点灯装置に関する。
【背景技術】
【０００２】
図２は、従来例に係る放電ランプ点灯装置の構成図である。放電ランプを点灯し安定した状態を維持するための制御回路１に対して、第１、第２のランプブロック７、８を並列に設けている。
【０００３】
このランプブロック７は、制御回路１より供給されるスイッチング制御信号Ｓ１,Ｓ２を増幅するＱ１−ａ，Ｑ２−ａ，Ｑ３−ａ，Ｑ４−ａを備えた増幅回路２、増幅された信号を基にスイッチング動作し、電圧電流変換トランス(高圧トランス) Ｔ１−ａ４へ電圧、電流を供給するＱ５−ａ，Ｑ６−ａまたはトランジスタを備えた電圧電流変換回路３、上記電圧電流変換トランスＴ１−ａ４、放電ランプＺａ６への出力電圧をコンデンサＣ２−ａ及びＣ３−ａで分割し、この電圧を基に放電ランプＺａ６の状態を検出する異常検出回路５、放電ランプＺａ６などを備えている。ランプブロック８もランプブロック７と同じ構成になっている。
【０００４】
放電ランプ点灯装置に関しては、例えば下記のような特許文献１を挙げることができる。
【特許文献１】特開平１１−２６０５７６号公報
【発明の開示】
【発明が解決しようとする課題】
【０００５】
上述した２ランプ点灯方式の放電ランプ点灯装置においては、異常検出回路５による電流検出信号を、直接制御回路１に入力している。そのため、ある放電ランプＺａ６に異常が発生した場合、もう一方の放電ランプＺｂ６も停止等の保護動作状態となってしまい、放電ランプ点灯装置に接続されている各放電ランプＺａ６，Ｚｂが一斉に消灯してしまい、連続点灯ができなくなるという不具合があった。
【０００６】
本発明は、このような従来技術の欠点を解消し、連続使用の可能な放電ランプ点灯装置を提供することを目的とする。
【課題を解決するための手段】
【０００７】
上記目的を達成するために本発明は、放電ランプを点灯し安定した状態を維持するための制御回路に対してランプブロックを複数並列に接続し、そのランプブロックは、上記制御回路からのスイッチグ信号を増幅する増幅回路と、その増幅回路で増幅された信号を元にスイッチング動作して電圧電流変換トランスに電圧，電流を供給する電圧電流変換回路と、その電圧電流変換回路から供給された電圧，電流を所定の値に変換する電圧電流変換トランスと、放電ランプの異常状態を検出して異常信号を上記制御回路に入力する異常検出回路と、上記電圧電流変換トランスから供給された電圧，電流により点灯する放電ランプを備えた放電ランプ点灯装置を対象とするものである。
【０００８】
そして本発明の第１の手段は、上記各ランプブロックに、上記異常検出回路からの異常検出信号に基づいて少なくとも電源ラインをオフするスイッチを設けたことを特徴とするものである。
【０００９】
本発明の第２の手段は上記第１の手段において、上記スイッチが上記増幅回路の電源入力側に直列に接続されていることを特徴とするものである。
【００１０】
本発明の第３の手段は上記第１の手段において、上記放電ランプが例えば液晶表示装置などの表示装置用バックライトであることを特徴とするものである。
【発明の効果】
【００１１】
本発明によれば、各ランプブロックに異常検出回路からの異常検出信号に基づいて少なくとも電源ラインをオフするスイッチを設けたことで、ランプブロック毎に異常検出が行われ、他のランプブロックに影響がないようにランプ保護機能が動作するため、複数のランプを同時に点灯させても、異常発生時に全体が一斉に消灯することがなくなる。そのため、連続使用が可能な放電ランプ点灯装置を提供することができる。
【発明を実施するための最良の形態】
【００１２】
以下、本発明の実施の形態を図面に基いて説明する。図１は本発明の実施の形態に係る放電ランプ点灯装置の構成図である。
【００１３】
放電ランプを点灯し安定した状態を維持するための制御回路１に対して、第１、第２のランプブロック７、８を並列に設けている。
【００１４】
このランプブロック７は、制御回路１より供給されるスイッチング制御信号Ｓ１,Ｓ２を増幅するＱ１−ａ，Ｑ２−ａ，Ｑ３−ａ，Ｑ４−ａを備えた増幅回路２、増幅された信号を基にスイッチング動作し、電圧電流変換トランス(高圧トランス) Ｔ１−ａ４へ電圧、電流を供給するＱ５−ａ，Ｑ６−ａまたはトランジスタを備えた電圧電流変換回路３、上記電圧電流変換トランスＴ１−ａ４、放電ランプＺａ６への出力電圧をコンデンサＣ２−ａ及びＣ３−ａで分割し、この電圧を基に放電ランプＺａ６の状態を検出する異常検出回路５、放電ランプＺａ６などを備えている。ランプブロック８もランプブロック７と同じ構成になっている。
【００１５】
そしてさらに本発明の放電ランプ点灯装置は、各ランプブロック７、８に、異常検出回路５からの異常検出信号に基づいて少なくとも電源ラインをオフするためのＱ７−ａ（Ｑ７−ｂ）からなるスイッチ９を設けている。
【００１６】
制御回路１からのスイッチング制御信号Ｓ１，Ｓ２は、放電ランプ６へ交流電圧、電流を供給し得るため位相が異なり、電圧電流変換回路３がショート状態にならないように、同時オフの期間を有する。放電ランプ６の輝度を目標とする明るさに維持するため、ランプ電流を検出し、スイッチング制御信号Ｓ１，Ｓ２のスイッチングタイミング、幅を可変動作する。
【００１７】
放電ランプ６の異常において、不点灯時にはランプ電圧が上昇し、またショート状態ではランプ電圧が低下する。この電圧を異常検出回路５で監視することにより、放電ランプ６の異常を検出することができる。ランプ電流を制御回路１へ入力した場合、微小放電等のわずかな異常も検出可能な場合があるため、電流による異常検出を行う場合もある。
【００１８】
本発明は、増幅回路２の電源入力側（ＶＩＮ側）に直列に、増幅回路２へ供給する電源電圧を異常時にオフさせるスイッチ９を設け、ランプ異常時に増幅回路２の動作を停止し、異常個所への電圧電流の供給を停止するようにしたものである。なお、増幅回路２のＱ１−ａ，Ｑ２−ａ（Ｑ１−ｂ，Ｑ２−ｂ）の電源ラインのみをオフ制御してもよい。
【図面の簡単な説明】
【００１９】
【図１】本発明の実施の形態に係る放電ランプ点灯装置の構成図である。
【図２】従来例に係る放電ランプ点灯装置の構成図である。
【符号の説明】
【００２０】
１：制御回路部、２：増幅回路、３：電圧電流変換回路、４：電圧電流変換トランス、５：異常検出回路、６：放電ランプ、７，８：ランプブロック、９：スイッチ。
【図１】
2005310587.tif 000003
【図２】
2005310587.tif 000004